(57)【要約】      （修正有）【課題】簡易な構造で外装体から取り外し容易な内装容器に蓋体が螺合されて構成されるレフィル容器を提供する。【解決手段】レフィル容器は、内容物を収容する内装容器２と、前記内装容器を収納する外装体と、前記内装容器を密閉する蓋体とを備える。前記外装体は、円形の開口によって上端側を開放し、下方を底とする有底の収納空間を形成する周壁部および底部を備え、前記周壁部は、前記内装容器２と嵌合する嵌合部を備え、前記内装容器２は、前記収納空間の前記開口に対応する円筒状の外形を形成する外周壁面２４と外底面２６とを備え、前記外周壁面２４は、前記嵌合部と嵌合する被嵌合部２７ａと、前記収容空間から上方に突出する突出領域とを備え、前記突出領域は、前記蓋体と螺合するための螺合部２８を備え、前記蓋体は、前記螺合部２８と螺合する被螺合部を備えることを特徴とする【選択図】図２
2018184190.tif 000002
【特許請求の範囲】
【請求項１】
内容物を収容する内装容器と、前記内装容器を収納する外装体と、前記内装容器を密閉する蓋体とを備えるレフィル容器であって、
前記外装体は、円形の開口によって上端側を開放し、下方を底とする有底の収納空間を形成する周壁部および底部を備え、
前記周壁部は、前記内装容器と嵌合する嵌合部を備え、
前記内装容器は、前記収納空間に対応する円筒状の外形を形成する外周壁面と外底面とを備え、
前記外周壁面は、前記嵌合部と嵌合する被嵌合部と、前記収容空間から上方に突出する突出領域とを備え、
前記突出領域は、前記蓋体と螺合するための螺合部を備え、
前記蓋体は、前記螺合部と螺合する被螺合部を備えることを特徴とする、レフィル容器。
【請求項２】
前記外装体は、その底部に、前記内装容器の回転を規制する係止部を備え、
前記内装容器は、その外底面に、前記係止部に規制される被係止部を備える、請求項１に記載のレフィル容器。
【請求項３】
前記外装体は、前記底部を上下方向に貫通する貫通孔を備える、請求項１または２に記載のレフィル容器。
【請求項４】
円形の開口によって上端側を開放し、下側を底とする有底の収納空間を形成する周壁部および底部を備える外装体に対して、前記収容空間に収容され、また、被螺合部を有する蓋体に螺合して前記内装容器を密閉される内装容器であって、
前記収納空間に対応する円筒状の外形を形成する外周壁面と底面とを備え、
前記外周壁面は、前記嵌合部と嵌合する被嵌合部と、前記収容空間から上方に突出する突出領域とを備え、
前記突出領域は、前記蓋体と螺合する螺合部とを備えることを特徴とする、レフィル容器の内装容器。
【請求項５】
さらに、上方に開放し、上方から内容物を収容する収容空間を有し、
前記収容空間を打栓により密閉する栓体を備える、請求項４に記載の内装容器。
【請求項６】
第１の蓋体が取り付けられ、外装体に収納された第１の内装容器に収容された内容物を使い切った後に、内容物を収容した第２の内装容器を、前記第１の内装容器と取り替える内装容器の取り替え方法であって、
前記外装体から前記第１の内装容器を取り外す第１のステップと、
第２の蓋体により内容物を密封保持する前記第２の内装容器を準備する第２のステップと、
前記第２の内装容器を前記外装体に収納する第３のステップと、
前記外装体に収納された前記第２の内装容器から前記第２の蓋体を取り外す第４のステップと、
前記第２の内装容器に前記第１の蓋体を取り付けて前記第２の内装容器を密閉する第５のステップとを含む、レフィル容器の取り替え方法。
【請求項７】
内容物を収容可能な内装容器と、前記内装容器を収納可能でかつ前記内装容器に嵌合する外装体と、前記内装容器を収納可能でかつ前記内装容器に嵌合しない収納体と、前記内装容器に螺合して前記内装容器を密閉する蓋体とを用い、前記内装容器に内容物を充填する内容物充填システムであって、
前記外装体に前記内装容器を収納した状態で前記内装容器に内容物を充填する第１の充填工程と、
前記第１の充填工程の後に、前記蓋体を螺合して前記内装容器を密閉する覆蓋工程と、
前記第１の充填工程とは別に、前記収納体に前記内装容器を収納した状態で前記内装容器に内容物を充填する第２の充填工程とを行う、内容物充填システム。
【発明の詳細な説明】
【技術分野】
【０００１】
本発明は、内容物を収容する内装容器と内装容器を収納する外装体とからなるレフィル容器、その内装容器、レフィル容器の取り替え方法、内容物充填システムに関する。
【背景技術】
【０００２】
従来より、スキンクリームやクレンジングクリーム等の内容物を収容する内装容器と、その内装容器を収納する外装体とからなる二重容器がある。このような二重容器は、通常は外装体が内装容器のケースとして作用し、内装容器に収容された内容物を使い切った後で外装体から内装容器を取り外し、内容物を収容した新しい内装容器を外装体に取り付けて使用する。したがって、このような二重容器では、いわゆるレフィル容器として資源を有効利用が図られる。
【０００３】
そのような二重容器として、特許文献１に記載の二重容器がある。特許文献１に記載の二重容器では、外装体は、開口部を形成する周壁部の上端部に外向き凸部を備える。また、内装容器は、内側の周壁と、この周壁から外向きに延在する外向き壁部と、外向き壁部の外周縁から垂設される外側の環状壁部とを備える。また、環状壁部には内向き凸部が形成されている。
【０００４】
特許文献１に記載の二重容器において、内装容器の周壁と外向き壁部と環状壁部とが、外装体の周壁を内側と外側から挟むように上方から覆い、外装体の外向き凸部が内装容器の内向き凸部に係合することにより、内装容器と外装体が嵌合して内装容器が外装体に保持される。さらに、外装体は、蓋体と螺合して密閉する螺合部を備え、主に、外装体と内装容器と蓋体との３部材により形成される。したがって、比較的簡易な構造で内容物を密閉し、かつ内装容器を取り替える可能なレフィル容器を提供できる。
【先行技術文献】
【特許文献】
【０００５】
【特許文献１】特開２０１６−２１０４３４号公報
【発明の概要】
【発明が解決しようとする課題】
【０００６】
しかし、特許文献１に記載の二重容器は、外装体に蓋体を螺合して内容物を密封保持するもので、内装容器に蓋体を螺合するレフィル容器はなかった。したがって、例えば、上記特許文献１に記載の二重容器は、取り替え可能な容器として内装容器のみで販売等するときは、開口を覆うシールを内装容器に貼り付けて内容物を密封していた。
【０００７】
本発明は、非常に簡易な構造で外装体から取り外し容易な内装容器に蓋体が螺合されて構成されるレフィル容器を提供することを目的とする。
【課題を解決するための手段】
【０００８】
（１）本発明に係るレフィル容器は、内容物を収容する内装容器と、前記内装容器を収納する外装体と、前記内装容器を密封保持する蓋体とを備える。前記外装体は、円形の開口によって上端側を開放し、下方を底とする有底の収納空間を形成する周壁部および底部を備え、前記周壁部は、前記内装容器と嵌合する嵌合部を備え、前記内装容器は、前記収納空間に対応する円筒状の外形を形成する外周壁面と外底面とを備え、前記外周壁面は、前記嵌合部と嵌合する被嵌合部と、前記収容空間から上方に突出する突出領域とを備え、前記突出領域は、前記蓋体と螺合するための螺合部を備え、前記蓋体は、前記螺合部と螺合する被螺合部を備えることを特徴とする。
【０００９】
このレフィル容器によれば、内装容器の被嵌合部が外装体の嵌合部に嵌合して、内装容器は外装体に嵌合する。これにより、内装容器は外装体に保持される。そして、内装容器の螺合部が蓋体の被螺合部に螺合することにより、蓋体が内装容器に螺合して内容物が密閉される。これにより、簡易な構造で内容物を密閉し、かつ蓋体が取り付けられた状態で内装容器を交換可能なレフィル容器を提供できる。
【００１０】
（２）前記外装体は、その底部に、前記内装容器の回転を規制する係止部を備え、前記内装容器は、その外底面に、前記係止部に規制される被係止部を備えるとよい。
【００１１】
このレフィル容器によれば、外装体の係止部と内装容器の被係止部とにより、内装容器が外装体に収納された状態で回転することを規制する。これにより、内装容器に螺合した蓋体を取り外すときに、外装体に保持された内装容器が回転することを規制されて、蓋体を容易に取り外すことができる。
【００１２】
（３）前記外装体は、前記底部を上下方向に貫通する貫通孔を備えるとよい。
【００１３】
このレフィル容器によれば、外装体に設けられた貫通孔を介して内装容器を押圧することで、外装体と内装容器との嵌合を容易に解除することができる。したがって、内装容器の交換が非常に容易になる。
【００１４】
（４）本発明に係る内装容器は、円形の開口によって上端側を開放し、下側を底とする有底の収納空間を形成する周壁部および底部を備える外装体に対して、前記収容空間に収容され、また、被螺合部を有する蓋体に螺合して前記内装容器を密閉される。前記収納空間に対応する円筒状の外形を形成する外周壁面と底面とを備え、前記外周壁面は、前記嵌合部と嵌合する被嵌合部と、前記収容空間から上方に突出する突出領域とを備え、前記突出領域は、前記蓋体と螺合する螺合部とを備えることを特徴とする。
【００１５】
この内装容器によれば、内装容器の嵌合部が外装体の被嵌合部に係合して、内装容器は外装体に嵌合する。これにより、内装容器は外装体に保持される。そして、内装容器の螺合部が蓋体の被螺合部に螺合することにより、蓋体が内装容器に螺合して内容物が密閉される。これにより、簡易な構造で内容物を密閉し、かつ蓋体が取り付けられた状態で交換可能な内装容器を提供できる。
【００１６】
（５）前記内装容器は、さらに、上方に開放し、上方から内容物を収容する収容空間を有し、前記収容空間を打栓により密閉する栓体を備える。
【００１７】
そのような内装容器によれば、内容物を収容した収容空間を栓体により打栓することで容易に内装容器を密閉することができる。栓体は、螺合する蓋体に比較して構造が簡易であるため、交換用の内装容器を安価に提供できる。
【００１８】
（６）本発明に係るレフィル容器の取り替え方法は、第１の蓋体が取り付けられ、外装体に収納された第１の内装容器に収容された内容物を使い切った後に、内容物を収容した第２の内装容器を、前記第１の内装容器と取り替える。前記外装体から前記第１の内装容器を取り外す第１のステップと、第２の蓋体により内容物を密封保持する前記第２の内装容器を準備する第２のステップと、前記第２の内装容器を前記外装体に収納する第３のステップと、前記外装体に収納された前記第２の内装容器から前記第２の蓋体を取り外す第４のステップと、前記第２の内装容器に前記第１の蓋体を取り付けて前記第２の内装容器を密閉する第５のステップとを含む。
【００１９】
このレフィル容器によれば、内装容器の被嵌合部が外装体の嵌合部に係合して、内装容器は外装体に嵌合する。これにより、内装容器は外装体に保持される。そして、内装容器の螺合部が蓋体の被螺合部に螺合することにより、蓋体が内装容器に螺合して内容物が密閉される。これにより、簡易な構造で内容物を密閉し、かつ内装容器を蓋体が取り付けられた状態で交換可能なレフィル容器を提供できる。
【００２０】
（７）本発明に係る内容物充填システムでは、内容物を収容可能な内装容器と、前記内装容器を収納可能でかつ前記内装容器に嵌合する外装体と、前記内装容器を収納可能でかつ前記内装容器に嵌合しない収納体と、前記内装容器に螺合して前記内装容器を密閉する蓋体とを用い、前記内装容器に内容物を充填する。前記外装体に前記内装容器を収納した状態で前記内装容器に内容物を充填する第１の充填工程と、前記第１の充填工程の後に、前記蓋体を螺合して前記内装容器を密閉する覆蓋工程と、前記第１の充填工程とは別に、前記収納体に前記内装容器を収納した状態で前記内装容器に内容物を充填する第２の充填工程とを行う。
【００２１】
この内容物充填システムによれば、外装体に内装容器を収納した状態で内装容器に内容物を充填する第１の充填工程と、収納体に前記内装容器を収納した状態で前記内装容器に内容物を充填する第２の充填工程とを同一の充填ラインで行うことができる。したがって、個別に充填ラインを設ける場合に比較して、安価に内容物の充填を行うことができる。
【発明の効果】
【００２２】
本発明は、非常に簡易な構造で外装体から取り外し容易な内装容器に蓋体が螺合されて構成されるレフィル容器を提供することを目的とする。
【図面の簡単な説明】
【００２３】
【図１】レフィル容器１と、レフィル容器１を構成する蓋体４、外装体３、内装容器２を示し、（Ａ）はレフィル容器１の斜視図、（Ｂ）は蓋体４の斜視図、（Ｃ）は外装体３の斜視図、（Ｄ）は内装容器２の斜視図である。
【図２】内装容器２を示し、（Ａ）は内装容器２の平面図、（Ｂ）は内装容器２の正面図、（Ｃ）は内装容器２の底面図である。
【図３】外装体３を示し、（Ａ）は外装体３の平面図、（Ｂ）は外装体３の正面図、（Ｃ）は外装体３の底面図である。
【図４】蓋体４を示し（Ａ）は蓋体４の平面図、（Ｂ）は蓋体４の正面図、（Ｃ）は蓋体４の底面図、（Ｄ）は蓋体４の蓋体を裏返した斜視図である。
【図５】レフィル容器１を示し、（Ａ）は内装容器２が外装体３に収容され、蓋体４が内装容器２に螺合した状態の一部断面図、（Ｂ）は（Ａ）の一部分を拡大した一部拡大図を示す。
【図６】本発明の実施形態に係る内容物充填システム６の概略図である。
【発明を実施するための形態】
【００２４】
本発明の実施形態に係るレフィル容器１について、図面を参照して説明する。
【００２５】
図１は、レフィル容器１と、レフィル容器１を構成する蓋体４、外装体３、内装容器２を示し、（Ａ）はレフィル容器１の斜視図、（Ｂ）は蓋体４の斜視図、（Ｃ）は外装体３の斜視図、（Ｄ）は内装容器２の斜視図である。
【００２６】
レフィル容器１は、内装容器２と内装容器２を収容する外装体３と、内装容器２を密閉する蓋体４とを備える。内装容器２、外装体３、蓋体４は、それぞれ、合成樹脂を原料として、これを射出成形法等の成形手法を適用して所望の形状に成形される。レフィル容器１は、内装容器２が外装体３に収納されることにより、二重構造の容器となる。
【００２７】
レフィル容器１では、内装容器２が、内容物を収容する収容空間Ｓ２を有し、当該収容空間Ｓ２は深さが浅めに形成され、かつ広い開口を有する、いわゆるジャータイプの容器である。本実施形態に係るレフィル容器１は、内装容器２と外装体３とが取り外し可能とされ、内容物を使い切った内装容器２を外装体３から取り外し、内容物の詰まった他の内装容器２を外装体３に取り付けることにより、内装容器２を取り替えることができる。
【００２８】
図２は、内装容器２を示し、（Ａ）は内装容器２の平面図、（Ｂ）は内装容器２の正面図、（Ｃ）は内装容器２の底面図を示す。内装容器２は、環状の周壁２１と、当該周壁２１の下端に一体的に連続する底壁２２とを備える有底部材であり、周壁２１と底壁２２により円柱状の収容空間Ｓ２を形成する。周壁２１の上端は、シールを貼付できない程度の幅とされている。
【００２９】
収容空間Ｓ２は、レフィル容器１の収容空間Ｓ２として、スキンクリームや整髪料等の化粧料のような内容物を充填される。内装容器２の周壁２１は、内側に内周壁面２３を形成し、外側に外周壁面２４を形成する。また、内装容器２の底壁２２は、内側に内底面２５を形成し、外側に外底面２６を形成する。内装容器２は、概略円柱状の外形を有する。
【００３０】
内装容器２は、外周壁面２４の円周に沿って外側に向けて突出する環状の環状突出部２７を備える。環状突出部２７は、後述する外装体３の環状段部３７に受けられる。さらに、環状突出部２７は、外側に向けて突出する環状凸部２７ａを備える。環状凸部２７ａは、後述する外装体３の環状凹部３７ａに嵌合する被嵌合部として作用する。
【００３１】
また、内装容器２は、後述する蓋体４の被螺合部４８に螺合する螺合部２８を周壁２１の上側に形成されている。螺合部２８は、周壁２１の円周の外側に沿ってかつ外側に向けて突出する螺旋状の螺旋凸部２８ａである。
【００３２】
内装容器２は、後述する外装体３の係止部３９に係合する被係止部２９を底壁２２の外底面２６に形成されている。被係止部２９は下方に突出する複数の凸部である。本実施形態において、内装容器２は、被係止部２９として、径方向に延びる４つの延在凸部２９ａを備える。４つの延在凸部２９ａは、周方向に等間隔に形成されている。本実施形態において、内装容器２は、内容物を収容し、外装体３に嵌合して保持され、蓋体４を取り付け可能であれば、他の形状であってもよい。
【００３３】
図３は、外装体３を示し、（Ａ）は外装体３の平面図、（Ｂ）は外装体３の正面図、（Ｃ）は外装体３の底面図を示す。外装体３は、環状の周壁部３１と、当該周壁部３１の下端に一体的に連続する底壁部３２とを備える有底部材であり、周壁部３１と底壁部３２により円柱状の収納空間Ｓ３を形成する。収納空間Ｓ３は、内装容器２を受け入れ可能に内装容器２の外形に対応した形状に形成されており、上方に開放する円形の開口を有する。
【００３４】
これにより、外装体３は内装容器２を収納することができる。外装体３の周壁部３１は、内側に内側壁面部３３を形成し、外側に外側壁面部３４を形成する。また、外装体３の底壁部３２は、内側に内側底面部３５を形成し、外側に外側底面部３６を形成する。
【００３５】
外装体３は、内周壁面３３の円周に沿って外側に向けて凹む環状の環状段部３７を備える。環状段部３７は、内装容器２の環状突出部２７を受ける。さらに、環状段部３７は、外側に向けて凹む環状凹部３７aを備える。環状凹部３７aは、内装容器２の環状凸部２７ａに嵌合する嵌合部として作用する。
【００３６】
外装体３は、内装容器２の被係止部２９に係合して内装容器２が回転することを係止する係止部３９を底壁部３２の内側に備える。係止部３９は、被係止部２９に対応した形状で下方に凹む複数の凹部である。本実施形態において、外装体３は、係止部３９として、径方向に延びる４０個の延在凹部３９ａを備える。
【００３７】
延在凹部３９ａは内装容器２の延在凸部２９ａに対応して延在凸部２９ａを受け入れる形状に形成されている。また、外装体３は、底壁部３２を上下方向に貫通する貫通孔３８を有する。本実施形態において、外装体３は、内装容器２を収容し、かつ内装容器２に嵌合できれば、他の形状であってもよい。
【００３８】
図４は、蓋体４を示し、（Ａ）は蓋体４の平面図、（Ｂ）は蓋体４の正面図、（Ｃ）は蓋体４の底面図、（Ｄ）は蓋体４を内側からみた斜視図を示す。蓋体４は、環状の側周部４１と、当該側周部４１の上端に一体的に連続する天井部４２とを備え、側周部４１と天井部４２により円柱状の覆蓋空間Ｓ４を形成する。蓋体４の側周部４１の内周面４３は、内装容器２の螺合部２８に螺合する被螺合部４８を備える。被螺合部４８は、側周部４１の内周面４３に沿ってかつ内側に向けて突出する螺旋凸部４８ａである。
【００３９】
蓋体４は、天井部４２の内側を内装容器２の周壁２１の上端に接触させて内容器を密閉する。蓋体４は、外装体３と略同一径の円盤状に形成される。蓋体４の天井部４２には、内装容器２との密着度を高める弾性シートを設けてもよい。本実施形態において、蓋体４は、内装容器２に螺合して密閉できれば他の蓋体であってもよい。
【００４０】
図５は、レフィル容器１を示し、（Ａ）は内装容器２が外装体３に収容され、蓋体４が内装容器２に螺合した状態の一部断面図、（Ｂ）は（Ａ）のＬの部分の一部拡大図を示す。図５（Ａ）に示すように、内装容器２は、外装体３に収納され、蓋体４が螺合される。外装体３の周壁３１の高さは、内装容器２の周壁２１の２／３程度の高さとなるように形成されている。これにより、内装容器２の周壁２１は、収納空間Ｓ３に収納される収納領域２１ａと、収納領域２１ａより上側で、外装体３から突出する突出領域２１ｂとに区分される。内容器の螺合部２８は、突出領域２１ｂに形成されている。
【００４１】
図５（Ｂ）に示すように、外装体３の環状段部３７は上方に開放しており、外装体３に内装容器２が収納された状態で、環状段部３７は内装容器２の環状突出部２７に下側から当接して環状突出部２７を支持する。さらに、外装体３に内装容器２が収容された状態では、環状段部３７の環状凹部３７ａに環状突出部２７の環状凸部２７ａが嵌合することにより、内装容器２が外装体３に嵌合する。これにより、外装体３は、内装容器２を収納した状態で上下方向に固定して保持する。特に、環状凸部２７ａは、その突出した部位が弧状に形成されており、環状凹部３７ａに対して適度な力で嵌合させ、また外すことができる。
【００４２】
また、外装体３に内装容器２が収納されるとき、内装容器２の延在凸部２９ａが、外装体３に設けられた複数の延在凹部３９ａのうち、いずれかの延在凹部３９ａに嵌る。これにより、内装容器２が外装体３に対して回転することを規制されて、回転方向に固定して保持される。本実施形態において、延在凸部２９ａは、延在凹部３９ａ底に当接しているが、回転方向の動きを規制できれば、延在凸部２９ａは、延在凹部３９ａ底に当接していなくてもよい。
【００４３】
さらに、外装体３に収納された内装容器２を取り外すときは、外装体３の底部の貫通孔３８を介して内装容器２を押圧することにより、内装容器２と外装体３との嵌合が外れ、内装容器２と外装体３とが分離される。このとき、外装体３の環状段部３７は上方に開放しているため、比較的容易に内装容器２が分離される。
【００４４】
また、延在凸部２９ａと延在凹部３９ａとは、上下方向に突出し、または窪んでいるため、回転方向に係合するが、上下方向には干渉せず、内装容器２と外装体３とが分離されることを妨げない。
【００４５】
蓋体４は、内装容器２の螺合部２８に被螺合部４８を螺合させて取り付けられる。内装容器２が外装体３に収納された状態で、蓋体４を螺合すると、内装容器２を回転させる方向に内装容器２は力を受けるが、内装容器２の被係止部２９が外装体３の係止部３９に係合することにより、回転を規制される。これにより、蓋体４は、内装容器２が外装体３に収納された状態で、容易に開閉できる。
【００４６】
本実施形態において、環状凸部２７ａ、環状凹部３７ａ、延在凸部２９ａ、延在凹部３９ａは、嵌合、係止等の各機能を果たせば、凸部と凹部が逆の関係に形成されていてもよい。
【００４７】
［レフィル容器の取り替え方法］
本発明に係るレフィル容器１の内装容器２の取り替え方法では、外装体３に収納された第１の内装容器２に収容された内容物を使い切った後に、内容物を収容した第２の内装容器２を、第１の内装容器２と取り替える。本実施形態においては、上記で説明したレフィル容器１の内装容器２の取り替え方法について説明するが、レフィル容器は、内装容器２に蓋体を取り付けられるものであれば、他のレフィル容器に適応できる。例えば、内装容器と蓋体が螺合する場合に限らず、他の手段により蓋体を内装容器２に取り付けられてもよい。
【００４８】
まず、第１のステップとして、第１の蓋体４が取り付けられた第１の内装容器２を外装体３から取り外す。このとき、外装体３に設けられた貫通孔３８を介して内装容器２が押されて内装容器２と外装体３との嵌合が外れる。このとき、第１の内装容器２は、蓋体４が取り付けられているため、第１の内装容器２に内容物が微少に残存していても、作業者の手を汚すことがない。しかし、第１の内装容器２は、蓋体４が取り外されてから、外装体３より取り外されるようにしてもよい。
【００４９】
次いで、第２のステップとして、第２の蓋体４により内容物を密閉する第２の内装容器２を準備する。第２のステップは、第１のステップの前後のいずれのタイミングで行われてもよい。第２の蓋体４は、第１の蓋体４よりも簡易な構造で安価に製造するとよい。例えば、蓋体として栓体を用い、打栓することで内容物を密閉してもよい。
【００５０】
次いで、第３のステップとして、第２の内装容器２を外装体３に収納する。第３のステップは、少なくとも第１および第２のステップの後に行われる。このとき、第２の内装容器２は、第２の蓋体４を取り外すことなく、外装体３に収納するとよい。外装体３に第２の内装容器２が収納されるとき、内装容器２の凸部が外装体３の凹部に係合することにより、外装体３が内装容器２に嵌合する。
【００５１】
次いで、第４のステップとして、外装体３に収納された第２の内装容器２から第２の蓋体４を取り外す。第４のステップは、第３のステップの後に行われる。これにより、外装体３に収容された内装容器２から蓋体４を取り外すため、外装体３を把持して蓋体４を取り外せる。したがって、内装容器２を把持して蓋体４を取り外す場合に比較して、蓋体４の取り外しが容易になる。
【００５２】
次いで、第５のステップとして、第２の内装容器２に第１の蓋体４を取り付けて第２の内装容器２を密閉する。例えば、第１の蓋体４が第２の蓋体４に対して、装飾や質感に優れている場合、第１の蓋体４を継続して使用することで、レフィル容器１自体の高級感が維持される。第２の蓋体４は、第１の内装容器２に取り付けて廃棄、回収等してもよい。本実施形態において、蓋体４は、内装容器２に対して螺合を解除することにより取り外される。
【００５３】
［内容物充填システム］
図６は、本発明の実施形態に係る内容物充填システム６の概略図を示す。本発明に係る内容物充填システム６は、容器に内容物を充填する充填部６１と、容器に蓋を取り付ける取付部６２と、充填部６１から取付部６２に収容容器を搬送する搬送部６３とを備える充填装置によって達成される。この充填装置は、従来のジャータイプの収容容器を充填容器として内容物を充填することができる。
【００５４】
本実施形態において、内容物を充填される充填容器として、外装体３に内装容器２を収納した第１の充填容器Ｏまたは収容体７に内装容器２を収納した第２の充填容器Ｒとがある。収容体７は、外装体３と同様の収納空間を形成し、内装容器２を収納でき、収容空間内に段部を備える。段部は、外装体３の段部３７よりも僅かに半径が大きくなっており、収容体７は、嵌合することなく内装容器２を着脱自在に収納される。
【００５５】
搬送部６３は、無端コンベアと、無端コンベアの搬送面に設けられた容器固定部６４とを備える。容器固定部６４は、外装体３または収容体７を無端コンベアの搬送面に固定する。搬送部６３は、無端コンベアが駆動することにより、搬送面が移動して、搬送面に固定された容器を充填部６１から取付部６２に搬送する。
【００５６】
搬送部６３により充填部６１に搬送された充填容器は、充填部６１のノズルの下に待機する。充填部６１のノズルは、スキンクリームや整髪料などの内容物を充填容器に充填する。内容物を充填された充填容器は、搬送部６３により取付部６２に移動する。
【００５７】
取付部６２に搬送された充填容器は、吸盤のような吸着体により蓋体４を吸着し、回転して充填容器に螺合させる。本実施形態において、取付部６２は内装容器２に蓋体４を螺合する。これにより、内装容器２を密閉することができる。搬送部６３は、容器固定部６４が充填部６１および取付部６２で停止するように間欠動作をする。
【００５８】
このような充填システム６は、先ず、空の内装容器２を外装体３に収納した第１の充填容器Ｏが充填部６１の搬送部６３を搬送される。ここで、複数の充填容器が順次搬送される。
【００５９】
次いで、第１の充填容器Ｏの内装容器２に内容物を充填する（第１の充填工程）。この工程では、第１の充填容器が順次搬送され、充填容器として外装体３に収納した内装容器２にスキンクリームや整髪料などの内容物を充填する。その後、第１の充填容器Ｏは、取付部６２へ搬送部６３により搬送される。
【００６０】
次いで、第１の充填工程の後に、蓋体４を螺合して内装容器２を密閉する（第１の覆蓋工程）。この工程では、吸盤のような吸着体により蓋体４を吸着し、蓋体４を回転して第１の充填容器Ｏの内装容器２に螺合させる。この工程では、蓋体４が内装容器２を密閉する。
【００６１】
また、第１の充填工程とは別に、空の内装容器２を収納体７に収納した第２の充填容器Ｒが充填部６１の搬送部６３を搬送される。ここで、複数の充填容器が順次搬送される。
【００６２】
次いで、第２の充填容器Ｒの内装容器２に内容物を充填する（第２の充填工程）。この工程では、充填容器として収納体７に収納した内装容器２にスキンクリームや整髪料などの内容物を充填する。その後、第２の充填容器Ｒは、取付部６２に搬送部６３により搬送される。
【００６３】
次いで、第２の充填工程の後に、蓋体４を螺合して内装容器２を密閉する（第２の覆蓋工程）。この工程では、吸盤のような吸着体により蓋体４を吸着し、回転して第１の充填容器Ｏの内装容器２に螺合させる。この工程では、蓋体４が内装容器２を密閉する。
【００６４】
以上のように、本実施形態における充填システム６は、同一の充填装置を用いて第１の充填容器Ｏと第２の充填容器Rを別々の工程により充填する。
【００６５】
第２の充填工程は、第１の充填工程の前、または後に行われてもよい。また、第１の充填容器Ｏと第２の充填容器Ｒを搬送部６３に交互に配置し、第１の充填工程と第２の充填工程とを交互に行ってもよい。また、取付部６２にかえて、打栓を行う打栓部を設け、蓋体を螺合することに代えて、蓋体（栓体）を第２の充填容器Ｒに打栓してもよい。
【産業上の利用可能性】
【００６６】
本発明は、内装容器を取り替え可能なレフィル容器に利用できる。
【符号の説明】
【００６７】
１      レフィル容器
２      内装容器
３      外装体
４      蓋体
６      内容物充填システム
２４    外周壁面
２６    外底面
２８    螺合部
２９    被係止部
３１    周壁部
３２    底部
３８    貫通孔
３９    係止部
４８    被螺合部
２１ｂ  突出領域
２７ａ  被嵌合部
３７ａ  嵌合部
Ｓ２    収容空間
Ｓ３    収納空間
【図１】
2018184190.tif 000003
【図２】
2018184190.tif 000004
【図３】
2018184190.tif 000005
【図４】
2018184190.tif 000006
【図５】
2018184190.tif 000007
【図６】
2018184190.tif 000008